【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
利用できるフィニッシャの能力情報を持つ画像形成装置であって、
第１のフィニッシャにおける後処理の停止を検出する検出手段と、
前記検出手段により前記第１のフィニッシャの停止が検出されると、前記第１のフィニッシャにて実行すべき処理を代替可能なフィニッシャを前記能力情報に基づいて検索する検索手段と、
前記検索手段により検索された第２のフィニッシャに対する後処理設定情報を生成する生成手段と
を備えることを特徴とする画像形成装置。
【請求項２】
前記検索手段は、前記第１のフィニッシャにおける後処理に係る機能と互換の機能を持つフィニッシャを検索することを特徴とする請求項１に記載の画像形成装置。
【請求項３】
前記検索手段は、前記第１のフィニッシャにおける後処理を、当該後処理に係る機能以外の機能により置換し、置換後の機能を持つフィニッシャを検索することを特徴とする請求項１または２に記載の画像形成装置。
【請求項４】
前記検出手段は、前記第１のフィニッシャにおけるステープル処理が停止されたことを検出し、
前記検索手段は、ステープル機能を有するフィニッシャを、第２のフィニッシャとして検索することを特徴とする請求項１乃至３のいずれか１項に記載の画像形成装置。
【請求項５】
前記検出手段により前記第１のフィニッシャの停止が検出された場合、前記画像形成装置が受信した印刷ジョブを前記第２のフィニッシャにて実行させるべく、前記印刷ジョブの面付けを変更する面付け変更手段をさらに有することを特徴とする請求項１乃至４のいずれか１項に記載の画像形成装置。
【請求項６】
利用できるフィニッシャの能力情報を持つ画像形成装置であって、
指定された印刷設定では印刷ジョブを遂行できない状態を検出する検出手段と、
前記検出手段により印刷ジョブを遂行できない状態が検出されると、前記印刷設定を置換するための後処理機能を有するフィニッシャを検索する検索手段と、
前記検索手段により検索されたフィニッシャに対する後処理設定情報を生成する生成手段と
を備えることを特徴とする画像形成装置。
【請求項７】
前記検出手段により、指定された印刷設定では印刷ジョブを遂行できない状態が検出された場合、複数のフィニッシャを組み合わせることで前記印刷ジョブを遂行可能となるか否かを前記能力情報を用いて判断する判断手段を有し、
前記判断手段により複数のフィニッシャを組み合わせることで前記印刷ジョブが遂行可能であると判断された場合、前記生成手段は、前記複数のフィニッシャ用に後処理設定情報を生成することを特徴とする請求項６に記載の画像形成装置。
【請求項８】
前記検出手段により、指定された印刷設定では印刷ジョブを遂行できない状態が検出された場合、前記画像形成装置は、使用すべき用紙種別を変更して印刷処理を実行することを特徴とする請求項６または７に記載の画像形成装置。
【請求項９】
接続されたフィニッシャの能力情報を収集する収集手段をさらに備えることを特徴とする請求項１乃至８のいずれか１項に記載の画像形成装置。
【請求項１０】
生成された後処理設定情報をフィニッシャに送信する送信手段をさらに備えることを特徴とする請求項１乃至９のいずれか１項に記載の画像形成装置。
【請求項１１】
前記第１のフィニッシャは前記画像形成装置が備えるインラインフィニッシャであり、前記第２のフィニッシャは前記画像形成装置と接続可能なニアラインフィニッシャであることを特徴とする請求項１乃至５のいずれか１項に記載の画像形成装置。
【請求項１２】
利用できるフィニッシャの能力情報を持つ画像形成装置の制御方法であって、
第１のフィニッシャにおける後処理の停止を検出する検出工程と、
前記検出工程により前記第１のフィニッシャの停止が検出されると、前記第１のフィニッシャにて実行すべき処理を代替可能なフィニッシャを前記能力情報に基づいて検索する検索工程と、
前記検索工程により検索された第２のフィニッシャに対する後処理設定情報を生成する生成工程と
を備えることを特徴とする制御方法。
【請求項１３】
前記検索工程は、前記第１のフィニッシャにおける後処理に係る機能と互換の機能を持つフィニッシャを検索することを特徴とする請求項１２に記載の制御方法。
【請求項１４】
前記検索工程は、前記第１のフィニッシャにおける後処理を、当該後処理に係る機能以外の機能により置換し、置換後の機能を持つフィニッシャを検索することを特徴とする請求項１２または１３に記載の制御方法。
【請求項１５】
前記検出工程は、前記第１のフィニッシャにおけるステープル処理が停止されたことを検出し、
前記検索工程は、ステープル機能を有するフィニッシャを、第２のフィニッシャとして検索することを特徴とする請求項１２乃至１４のいずれか１項に記載の制御方法。
【請求項１６】
前記検出工程により前記第１のフィニッシャの停止が検出された場合、前記画像形成装置が受信した印刷ジョブを前記第２のフィニッシャにて実行させるべく、前記印刷ジョブの面付けを変更する面付け変更工程をさらに有することを特徴とする請求項１２乃至１５のいずれか１項に記載の制御方法。
【請求項１７】
利用できるフィニッシャの能力情報を持つ画像形成装置の制御方法であって、
指定された印刷設定では印刷ジョブを遂行できない状態を検出する検出工程と、
前記検出工程により印刷ジョブを遂行できない状態が検出されると、前記印刷設定を置換するための後処理機能を有するフィニッシャを検索する検索工程と、
前記検索工程により検索されたフィニッシャに対する後処理設定情報を生成する生成工程と
を備えることを特徴とする制御方法。
【請求項１８】
前記検出工程により、指定された印刷設定では印刷ジョブを遂行できない状態が検出された場合、複数のフィニッシャを組み合わせることで前記印刷ジョブを遂行可能となるか否かを前記能力情報を用いて判断する判断工程を有し、
前記判断工程により複数のフィニッシャを組み合わせることで前記印刷ジョブが遂行可能であると判断された場合、前記生成工程は、前記複数のフィニッシャ用に後処理設定情報を生成することを特徴とする請求項１７に記載の制御方法。
【請求項１９】
前記検出工程により、指定された印刷設定では印刷ジョブを遂行できない状態が検出された場合、前記画像形成装置は、使用すべき用紙種別を変更して印刷処理を実行することを特徴とする請求項１７または１８に記載の制御方法。
【請求項２０】
接続されたフィニッシャの能力情報を収集する収集工程をさらに備えることを特徴とする請求項１２乃至１９のいずれか１項に記載の制御方法。
【請求項２１】
生成された後処理設定情報をフィニッシャに送信する送信工程をさらに備えることを特徴とする請求項１２乃至２０のいずれか１項に記載の制御方法。
【請求項２２】
前記第１のフィニッシャは前記画像形成装置が備えるインラインフィニッシャであり、前記第２のフィニッシャは前記画像形成装置と接続可能なニアラインフィニッシャであることを特徴とする請求項１２乃至１６のいずれか１項に記載の制御方法。
【請求項２３】
利用できるフィニッシャの能力情報を持つコンピュータを機能させるためのプログラムであって、
第１のフィニッシャにおける後処理の停止を検出する検出手段と、
前記検出手段により前記第１のフィニッシャの停止が検出されると、前記第１のフィニッシャにて実行すべき処理を代替可能なフィニッシャを前記能力情報に基づいて検索する検索手段と、
前記検索手段により検索された第２のフィニッシャに対する後処理設定情報を生成する生成手段と
してコンピュータを機能させることを特徴とするプログラム。
【請求項２４】
利用できるフィニッシャの能力情報を持つコンピュータを機能させるプログラムであって、
指定された印刷設定では印刷ジョブを遂行できない状態を検出する検出手段と、
前記検出手段により印刷ジョブを遂行できない状態が検出されると、前記印刷設定を置換するための後処理機能を有するフィニッシャを検索する検索手段と、
前記検索手段により検索されたフィニッシャに対する後処理設定情報を生成する生成手段と
してコンピュータを機能させることを特徴とするプログラム。
【手続補正２】
【補正対象書類名】明細書
【補正対象項目名】００１１
【補正方法】変更
【補正の内容】
【００１１】
上記目的を達成するために本発明は以下の構成を備える。利用できるフィニッシャの能力情報を持つ画像形成装置であって、第１のフィニッシャにおける後処理の停止を検出する検出手段と、前記検出手段により前記第１のフィニッシャの停止が検出されると、前記第１のフィニッシャにて実行すべき処理を代替可能なフィニッシャを前記能力情報に基づいて検索する検索手段と、前記検索手段により検索された第２のフィニッシャに対する後処理設定情報を生成する生成手段とを備える。
【手続補正３】
【補正対象書類名】明細書
【補正対象項目名】００１２
【補正方法】変更
【補正の内容】
【００１２】
あるいは、利用できるフィニッシャの能力情報を持つ画像形成装置であって、
指定された印刷設定では印刷ジョブを遂行できない状態を検出する検出手段と、前記検出手段により印刷ジョブを遂行できない状態が検出されると、前記印刷設定を置換するための後処理機能を有するフィニッシャを検索する検索手段と、前記検索手段により検索されたフィニッシャに対する後処理設定情報を生成する生成手段とを備える。